(57)【要約】【課題】毛髪化粧料塗布具を用いて毛髪に毛髪化粧料を部分的に塗布する際に、毛髪化粧料の過剰塗布、頭皮の着色といった不都合を防止しつつ、セミロングより長い頭髪をはじめとする毛髪に対して、毛髪化粧料を一様に塗布し得るようにするすること。【解決手段】本発明の毛髪化粧品は、３０℃における粘度が３Ｐａ・ｓ以上３０Ｐａ・ｓ以下である毛髪化粧料３と、毛髪に対して該毛髪化粧料をに塗布する塗布部２を有する毛髪化粧料塗布具１とを具備する。塗布部２は、略円環状に配置された複数の櫛歯２２及び該櫛歯を固定する櫛歯台２０を有する。複数の櫛歯２２で包囲された部分への毛髪化粧料３の供給量又は保持量の指標となる印２２ｍを、複数の櫛歯２２の少なくとも一つに設けた。印２２ｍは、櫛歯２２のうち、高さが最も高い櫛歯２２の先端から下方に１ｍｍ以上５ｍｍ以下の距離を置いた位置に設けることが好適である。【選択図】図１２
2015071033.tif 000002
【特許請求の範囲】
【請求項１】
３０℃における粘度が３Ｐａ・ｓ以上３０Ｐａ・ｓ以下である毛髪化粧料と、毛髪に対して該毛髪化粧料を塗布する塗布部を有する毛髪化粧料塗布具とを具備する毛髪化粧品であって、
該塗布部が、略円環状に配置された複数の櫛歯及び該櫛歯を固定する櫛歯台を有し、
複数の該櫛歯で包囲された部分への該毛髪化粧料の保持量の指標を、複数の該櫛歯の少なくとも一つに設けた毛髪化粧品。
【請求項２】
前記指標を、前記櫛歯のうち、高さが最も高い櫛歯の先端から下方に１ｍｍ以上５ｍｍ以下の距離を置いた位置に設けた請求項１に記載の毛髪化粧品。
【請求項３】
前記櫛歯の高さが５ｍｍを超えて３０ｍｍ以下である請求項１又は２に記載の毛髪化粧品。
【請求項４】
複数の前記櫛歯が、高さの異なる２種以上の櫛歯からなり、高さが最も高い櫛歯以外の少なくとも１つの櫛歯を前記指標として用いた請求項１ないし３のいずれか一項に記載の毛髪化粧品。
【請求項５】
高さの異なる２種以上の櫛歯が単一の略円環状に配置されている請求項４に記載の毛髪化粧品。
【請求項６】
複数の前記櫛歯は、第１円環をなす第１櫛歯群と、第２円環をなす第２櫛歯群とからなり、
第２円環は、第１円環の内側に位置するように略同心円状に配置されており、
第２櫛歯群の櫛歯は、その高さが第１櫛歯群の櫛歯の高さよりも低くなっている請求項４に記載の毛髪化粧品。
【請求項７】
複数の前記櫛歯は、いずれも同じ高さになっており、該櫛歯の少なくとも１つの先端から下方に距離を置いた位置に印を設け、該印を前記指標として用いた請求項１ないし３のいずれか一項に記載の毛髪化粧品。
【請求項８】
複数の前記櫛歯は、いずれも同じ高さになっており、該櫛歯の先端から下方に距離を置いた位置までの全域にわたり印を設け、該印を前記指標として用いた請求項１ないし３のいずれか一項に記載の毛髪化粧品。
【請求項９】
複数の前記櫛歯が、いずれも同じ高さになっており、該櫛歯の少なくとも１つの先端から下方に距離を置いた位置までの太さを、該位置から更に下方の部分の太さと異ならせることで、該位置に段差を設け、該段差を前記指標として用いた請求項１ないし３のいずれか一項に記載の毛髪化粧品。
【請求項１０】
前記櫛歯台の中央部に、毛髪化粧料が供給される剤吐出口を備える請求項１ないし９のいずれか一項に記載の毛髪化粧品。
【請求項１１】
３０℃における粘度が３Ｐａ・ｓ以上３０Ｐａ・ｓ以下である毛髪化粧料と、毛髪に対して該毛髪化粧料を束状に塗布する塗布部を有する毛髪化粧料塗布具とを具備する毛髪化粧品であって、該塗布部が、略円環状に配置された複数の櫛歯及び該櫛歯を固定する櫛歯台を有し、該櫛歯の高さが５ｍｍを超えて３０ｍｍ以下である毛髪化粧品を用いた毛髪化粧料の塗布方法であって、
以下の工程（１）及び（２）を有する毛髪化粧料の塗布方法。
（１）前記塗布部における複数の前記櫛歯で包囲された部分に、該櫛歯の先端から１ｍｍ以上５ｍｍ以下離れた下方位置まで前記毛髪化粧料を供給する工程。
（２）前記塗布部に供給された毛髪化粧料を毛髪に束状に塗布する工程。
【請求項１２】
工程（２）において、前記塗布部の櫛歯で毛髪を把持しながら前記毛髪化粧料を毛髪に束状に塗布する、請求項１１に記載の毛髪化粧料の塗布方法。
【請求項１３】
工程（２）において、前記塗布部を毛髪の根本から毛先方向に移動させることで、前記毛髪化粧料を毛髪に束状に塗布する、請求項１１又は１２に記載の毛髪化粧料の塗布方法。
【請求項１４】
更に、工程（１）及び（２）を複数箇所にわたって複数回繰り返す工程である工程（３）を行うことで、前記毛髪化粧料を毛髪に束状に塗布する請求項１１ないし１３のいずれか一項に記載の毛髪化粧料の塗布方法。
【請求項１５】
前記毛髪化粧料塗布具が毛髪化粧料を収容する容器部を有する請求項１１ないし１４のいずれか一項に記載の毛髪化粧料の塗布方法。
【請求項１６】
前記容器部と前記塗布部との間に連結部を有する請求項１５に記載の毛髪化粧料の塗布方法。
【請求項１７】
前記毛髪化粧料が酸化染料中間体を含有する請求項１１ないし１６のいずれか一項に記載の毛髪化粧料の塗布方法。
【請求項１８】
前記毛髪化粧料が直接染料を含有する請求項１１ないし１７のいずれか一項に記載の毛髪化粧料の塗布方法。
【請求項１９】
前記毛髪化粧料が顔料を含有する請求項１１ないし１８のいずれか一項に記載の毛髪化粧料の塗布方法。
【請求項２０】
前記毛髪化粧料が皮膜形成樹脂を含有する請求項１１ないし１９のいずれか一項に記載の毛髪化粧料の塗布方法。
【発明の詳細な説明】
【技術分野】
【０００１】
本発明は毛髪化粧品に関する。また本発明は、毛髪化粧料の塗布方法に関する。
【背景技術】
【０００２】
毛髪化粧料を毛髪、特に頭髪に塗布する場合、頭髪の部位によらず全体に一様に塗布する全体塗布と、頭髪の一部を選択して塗布する部分塗布とがある。部分塗布の場合、頭髪、特にセミロングより長い頭髪に対して、該頭髪の選択部分（毛髪化粧料の塗布予定部分）内及び複数の選択部分間における塗布量のばらつきを避けて、毛髪化粧料を選択部分内及び複数の選択部分間で一様に塗布するためには、特に自己施術の場合には、容器に収容された毛髪化粧料を塗布具に移し取って塗布する操作を繰り返し行うのが一般的である。しかし、この繰り返し操作は煩雑であるため、施術に失敗する原因となることが多い。そこで、この繰り返し操作をなくすため、毛髪化粧料の貯蔵部から連結部を介して塗布部へと該毛髪化粧料を供給する貯蔵部塗布部一体型染毛具が提案されている（例えば特許文献１参照）。この特許文献１記載の染毛具によれば、該染毛具の姿勢によらず毛髪化粧料を連続的に塗布することが可能であるとされている。
【０００３】
このような貯蔵部塗布部一体型染毛具を用いて毛髪化粧料を塗布する場合、毛髪化粧料の種類（組成）によっては、染毛具における貯蔵部内での毛髪化粧料の調製が困難になる、毛髪化粧料の吐出性が低下する、等の新たな問題が生じ得るが、この新たな問題の解決手段として、毛髪化粧料とこれを収容し塗布する塗布具とを具備する毛髪化粧品及びその使用方法が既に提案されている（例えば特許文献２参照）。特許文献２記載の技術によれば、毛髪化粧料調製時の混合性と、毛髪化粧料の塗布具からの吐出性と、頭髪における選択部分に塗布する塗布性とのバランスをとることができるとされている。特許文献１及び２記載の技術に基づいて毛髪化粧料の部分塗布を行えば、専門技術者による施術に任せずに自己施術によった場合でも、頭髪の選択部分内及び複数の選択部分間における塗布量のばらつきを避けて毛髪化粧料を塗布し、むらのない仕上がりを得ることが容易となる。
【先行技術文献】
【特許文献】
【０００４】
【特許文献１】特開２０００−１６４７０号公報
【特許文献２】特開２０１２−２３６０１６号公報
【発明の概要】
【発明が解決しようとする課題】
【０００５】
しかし、特許文献２の技術によれば、自己施術であれ、専門技術者による施術であれ、施術者が前記貯蔵部塗布部一体型染毛具を用いて頭髪、特にセミロングより長い頭髪に対して毛髪化粧料、特に酸化型染毛剤若しくは直接染料又はスタイリングポリマーを塗布する際に、該染毛具における貯蔵部を必要以上に強く握ることにより、該染毛具における塗布部の先端あるいは空隙から毛髪化粧料が過剰供給され、それによって、頭髪に対して部分的に毛髪化粧料の過剰塗布をもたらし、あるいは毛髪化粧料を塗布する必要のない頭皮に毛髪化粧料が塗布され、その結果頭皮が着色され、あるいは頭皮に無用な刺激を与えるおそれがあった。染毛具における塗布部の容量を増やせば、容器部を強く握ることによる毛髪化粧料の過剰供給のリスクが低減されるが、その反面、塗布部の容量増大に伴って、該染毛具の使用中に毛髪化粧料が塗布部の先端から自重で落下し、あるいは空隙から漏洩してしまうおそれがある。染毛具における塗布部の容量を増大する単純な方法では、毛髪化粧料の過剰供給に起因する問題は充分に解決できない。また、前記貯蔵部がエアゾール缶であるときも、必要以上に吐出用アクチュエーターを長く押すことにより、上記染毛具における塗布部の先端あるいは空隙から毛髪化粧料が過剰供給されることに起因して、上記と同様の問題が生じるおそれがあった。
【０００６】
本発明は、毛髪化粧料塗布具を用いて毛髪に毛髪化粧料を部分的に塗布する際に、毛髪化粧料の過剰塗布、頭皮の着色といった不都合を防止しつつ、セミロングより長い頭髪をはじめとする毛髪に対して、毛髪化粧料を一様に塗布し得る毛髪化粧料の塗布方法に関する。また本発明は、そのような塗布方法に好適に用いられる毛髪化粧品に関する。
【課題を解決するための手段】
【０００７】
本発明は、３０℃における粘度が３Ｐａ・ｓ以上３０Ｐａ・ｓ以下である毛髪化粧料と、毛髪に対して該毛髪化粧料を塗布する塗布部を有する毛髪化粧料塗布具とを具備する毛髪化粧品であって、
該塗布部が、略円環状に配置された複数の櫛歯及び該櫛歯を固定する櫛歯台を有し、
複数の該櫛歯で包囲された部分への該毛髪化粧料の保持量の指標を、複数の該櫛歯の少なくとも一つに設けた毛髪化粧品を提供するものである。
【０００８】
また本発明は、３０℃における粘度が３Ｐａ・ｓ以上３０Ｐａ・ｓ以下である毛髪化粧料と、毛髪に対して該毛髪化粧料を束状に塗布する塗布部を有する毛髪化粧料塗布具とを具備する毛髪化粧品であって、該塗布部が、略円環状に配置された複数の櫛歯及び該櫛歯を固定する櫛歯台を有し、該櫛歯の高さが５ｍｍを超えて３０ｍｍ以下である毛髪化粧品を用いた毛髪化粧料の塗布方法であって、以下の工程（１）及び（２）を有する毛髪化粧料の塗布方法である。
（１）前記塗布部における複数の前記櫛歯で包囲された部分に、該櫛歯の先端から１ｍｍ以上５ｍｍ以下離れた下方位置まで前記毛髪化粧料を供給する工程。
（２）前記塗布部に供給された毛髪化粧料を毛髪に束状に塗布する工程。
【発明の効果】
【０００９】
本発明によれば、毛髪に対して毛髪化粧料を塗布するために略円環状に配置された複数の櫛歯及び該櫛歯を固定する櫛歯台を備えた塗布部を有する、毛髪化粧料塗布具を用い、且つ該塗布部における複数の櫛歯で包囲された部分に毛髪化粧料を供給するに際し、その供給量又は保持量を適度に抑え、櫛歯の先端から所定距離離間した下方位置までは毛髪化粧料を供給しないようにしたので、毛髪化粧料の部分塗布において、毛髪化粧料の過剰塗布、頭皮の着色といった不都合を防止しつつ、セミロングより長い頭髪をはじめとする毛髪に対して、毛髪化粧料を根元から毛先まで一様に塗布することができる。
【図面の簡単な説明】
【００１０】
【図１】図１は、本発明の毛髪化粧料の塗布方法の実施に使用可能な毛髪化粧料塗布具の一実施形態を示す一部破断側面図である。
【図２】図２は、図１に示す毛髪化粧料塗布具の塗布部の拡大斜視図である。
【図３】図３は、図１に示す毛髪化粧料塗布具の塗布部の櫛歯台を、櫛歯が突出する面側から見た平面図である。
【図４】図４は、図１に示す毛髪化粧料塗布具の塗布部と延長部との接続状態を示す部分断面図である。
【図５】図５は、本発明の毛髪化粧料の塗布方法の実施に使用可能な毛髪化粧料塗布具の別の実施形態を示す一部破断側面図である。
【図６】図６は、図１に示す毛髪化粧料塗布具における筒状の櫛部の内側の空間内に液状、クリーム状、ジェル状又は泡状の毛髪化粧料を貯留させた状態を示す斜視図である。
【図７】図７は、図１に示す毛髪化粧料塗布具を用いて頭髪に毛髪化粧料を塗布する様子を示す斜視図である。
【図８】図８は、毛髪化粧料塗布具における塗布部の別の実施形態を示す斜視図である。
【図９】図９は、毛髪化粧料塗布具における塗布部の別の実施形態を示す斜視図である。
【図１０】図１０は、毛髪化粧料塗布具における塗布部の別の実施形態を示す斜視図である。
【図１１】図１１は、毛髪化粧料塗布具における塗布部の別の実施形態を示す斜視図である。
【図１２】図１２は、毛髪化粧料塗布具における塗布部の別の実施形態を示す斜視図である。
【図１３】図１３は、毛髪化粧料塗布具における塗布部の別の実施形態を示す斜視図である。
【図１４】図１４は、毛髪化粧料塗布具における塗布部の別の実施形態を示す斜視図である。
【図１５】図１５は、毛髪化粧料塗布具の別の実施形態を示す斜視図である。
【発明を実施するための形態】
【００１１】
本発明の毛髪化粧料の塗布方法は、毛髪化粧料とこれを塗布する毛髪化粧料塗布具とを具備する毛髪化粧品を用いて実施される。即ち、本発明の塗布方法の実施に用いる本発明に係る毛髪化粧品は、毛髪化粧料及び毛髪化粧料塗布具の少なくとも２つを要素とし、これらが一つのパッケージ内に収納されたキットの形態をなしている。
【００１２】
［毛髪化粧料］
本発明に係る毛髪化粧料は、その組成如何を問わず、３０℃における粘度が３Ｐａ・ｓ以上３０Ｐａ・ｓ以下であり、５Ｐａ・ｓ以上１５Ｐａ・ｓ以下であることが好ましく、７Ｐａ・ｓ以上１３Ｐａ・ｓ以下であることが更に好ましく、８．５Ｐａ・ｓ以上１３Ｐａ・ｓ以下であることが一層好ましい。毛髪化粧料の粘度をこの範囲に設定することで、毛髪化粧料塗布具からの吐出性が良好になるばかりでなく、塗布時に毛髪化粧料が垂れ落ちることが効果的に防止され、且つ毛髪上での毛髪化粧料の延び性も良好になる。
【００１３】
毛髪化粧料の３０℃における粘度は、ヘリカルスタンド付きＢ形粘度計（東機産業株式会社製  モデルTVB-10R、T-BAR STAGE TS-10）を用い、スピンドルＮｏ．Ｔ−Ｃ、回転数１０ｒｐｍの条件下に３０℃で１分間回転させた後の値とする。
【００１４】
本発明の毛髪化粧料の塗布方法は、頭髪が主たる適用対象であり、頭髪の染毛、脱色、整髪等の各種用途に用いられ、その用途に適した毛髪化粧料が選択される。通常、頭髪の染毛には、着色料（染料、顔料）を含有する毛髪化粧料（染毛剤、染毛料）が用いられ、頭髪の脱色には、着色料を含有しない毛髪化粧料（脱色剤）が用いられ、頭髪の整髪（頭髪の形付け）には、皮膜形成樹脂を含有する毛髪化粧料（整髪料）が用いられる。
【００１５】
本発明に係る毛髪化粧料には、その用途を問わず、化粧料用油剤、界面活性剤、溶媒等を添加することができる。化粧料用油剤としては、ヒマシ油、カカオ油、ミンク油、アボカド油、オリーブ油等のグリセライド類；ミツロウ、鯨ロウ、ラノリン、カルナウバロウ等のロウ類；セチルアルコール、オレイルアルコール、ヘキサデシルアルコール、ラウリルアルコール、ステアリルアルコール、イソステアリルアルコール、２−オクチルドデカノール、ベヘニルアルコール等の高級アルコール類；ミリスチン酸イソプロピル、ラウリン酸ヘキシル、乳酸セチル、モノステアリン酸プロピレングリコール、オレイン酸オレイル、２−エチルヘキサン酸ヘキサデシル、ミリスチン酸オクチルドデシル酸のエステル類；流動パラフィン、ワセリン、スクワラン、水添ポリイソブテン等の炭化水素油類；ジメチルポリシロキサン、メチルフェニルポリシロキサン、ポリエーテル変性シリコーンオイル、エポキシ変性シリコーンオイル、アミノ変性シリコーンオイル、アルキル変性シリコーンオイル等のシリコーン誘導体；ポリプロピレングリコール等が挙げられ、これらの１種を単独で又は２種以上を組み合わせて用いることができる。界面活性剤としては、アニオン性、両性、カチオン性、非イオン性のいずれの界面活性剤も使用することができる。
【００１６】
また、本発明に係る毛髪化粧料には、その用途を問わず、商品価値の向上を目的として香料、毛髪化粧料の経日的変質防止を目的として防腐剤、酸化防止剤を添加することができ、更に必要に応じて、グリセリン、プロピレングリコール等の調湿剤、硬化剤、帯電防止剤、消泡剤、分散剤、増粘剤、紫外線吸収剤、酸化防止剤、防腐剤、有色染料、染料定着剤、噴射剤等を添加することもできる。以下、本発明に係る毛髪化粧料を、その主たる用途ごとに更に説明する。
【００１７】
〔二剤式又は三剤式の染毛剤又は脱色剤〕
本発明に係る毛髪化粧料は、アルカリ剤を含有する第１剤と、過酸化水素を含有する第２剤とを含んで構成される二剤式の染毛剤又は脱色剤の形態で用いることができる。また本発明に係る毛髪化粧料は、第１剤及び第２剤に加えて更に第３剤を含んで構成される三剤式の染毛剤又は脱色剤の形態で用いることもできる。いずれの染毛剤又は脱色剤の形態であっても、第１剤、第２剤及び第３剤は、それぞれ独立して個別の容器内に収容されており、本発明に係る毛髪化粧品の使用前の状態においては、各剤は容器内に密封収容されている。そして、本発明に係る毛髪化粧品の使用に際し、各剤を混合することで二剤式又は三剤式の染毛剤又は脱色剤（毛髪化粧料）を生じさせる。
【００１８】
アルカリ剤（第１剤）としては、アンモニア及びその塩、水酸化ナトリウム、水酸化カリウム、モノエタノールアミン、イソプロパノールアミン、２−アミノ−２−メチルプロパノール、２−アミノブタノール等のアルカノールアミン及びその塩、１，３−プロパンジアミン等のアルカンジアミン及びその塩、炭酸ナトリウム、炭酸カリウム、炭酸水素ナトリウム、炭酸水素カリウム、炭酸グアニジン等の炭酸塩等が挙げられ、これらの１種を単独で又は２種以上を組み合わせて用いることができる。
【００１９】
第１剤中のアルカリ剤は、本発明に係る毛髪化粧料（二剤式又は三剤式の染毛剤又は脱色剤）中、充分な染毛効果の点から、合剤後（二剤式においては第１剤と第２剤との混合物、三剤式においては第１剤と第２剤と第３剤との混合物。以下同じ。）の合計量に対して０．０５質量％以上、更には０．１質量％以上、更には０．２質量％以上の範囲で含有されていることが好ましく、また、毛髪損傷や頭皮刺激の低減の点から、１５質量％以下、更には１０質量％以下、更には８質量％以下の範囲で含有されていることが好ましい。
【００２０】
第２剤中の過酸化水素は、本発明に係る毛髪化粧料（二剤式又は三剤式の染毛剤又は脱色剤）中、充分な染毛効果の点から、合剤後の合計量に対して０．１質量％以上、更には０．５質量％以上、更には１．０質量％以上の範囲で含有されていることが好ましく、また、毛髪損傷や頭皮刺激の低減の点から、８．０質量％以下、更には７．０質量％以下、更には６．０質量％以下の範囲で含有されていることが好ましい。
【００２１】
三剤式の染毛剤又は脱色剤を構成する第３剤としては、例えば、脱色力向上のための酸化助剤として過硫酸塩（過硫酸アンモニウム、過硫酸カリウム、過硫酸ナトリウム等）、アルカリ剤として無水メタケイ酸ナトリウム、炭酸ナトリウム等を含有することができる。
【００２２】
＜染料＞
本発明に係る毛髪化粧料を二剤式又は三剤式の染毛剤の形態で用いる場合、第１剤中に着色料として染料を含有させることができる。染料としては、酸化染料中間体及び直接染料が挙げられる。
【００２３】
酸化染料中間体としては、公知のプレカーサー及びカプラーを用いることができる。プレカーサー及びカプラーは、どちらか一方が単独で用いられるのではなく、両方を組み合わせて用いられる。プレカーサーとしては、例えばパラフェニレンジアミン、トルエン−２，５−ジアミン、Ｎ−フェニルパラフェニレンジアミン、Ｎ，Ｎ−ビス（ヒドロキシエチル）パラフェニレンジアミン、２−ヒドロキシエチルパラフェニレンジアミン、パラアミノフェノール、パラメチルアミノフェノール、４−アミノ-メタクレゾール、オルトア
ミノフェノール、及びこれらの塩等が挙げられる。また、カプラーとしては、例えばレゾルシン、２−メチルレゾルシン、１−ナフトール、１，５−ジヒドロキシナフタレン、５−アミノオルトクレゾール、メタフェニレンジアミン、メタアミノフェノール、２，４−ジアミノフェノキシエタノール、２，６−ジアミノピリジン、２−メチル−５−ヒドロキシエチルアミノフェノール、２−アミノ−３−ヒドロキシピリジン、及びこれらの塩等が挙げられる。プレカーサー及びカプラーは、それぞれ２種以上を併用しても良い。
【００２４】
プレカーサー及びカプラーそれぞれの含有量は、本発明に係る毛髪化粧料（二剤式又は三剤式の染毛剤）中、合剤後の合計量に対して０．０１質量％以上、更には０．１質量％以上が好ましく、また、５質量％以下、更には４質量％以下が好ましい。また、染料中間体の含有量は、本発明に係る毛髪化粧料（二剤式又は三剤式の染毛剤）中、合剤後の合計量に対して０．０２質量％以上、更には０．２質量％以上が好ましく、また、８質量％以下、更には６質量％以下が好ましい。
【００２５】
直接染料としては、染毛剤に利用可能である公知の酸性染料、塩基性染料、分散染料、反応性染料等を用いることができる。酸性染料としては、例えば青色１号、紫色401号、黒色401号、だいだい色205号、赤色106号、赤色227号、黄色203号、酸性橙３等が挙げられる。塩基性染料としては、例えば塩基性青99、塩基性茶16、塩基性茶17、塩基性赤76、塩基性黄76、塩基性橙31、塩基性赤51等が挙げられる。酸性染料及び塩基性染料以外の直接染料としては、例えば2-ニトロ-p-フェニレンジアミン、2-アミノ-6-クロロ-4-ニトロフェノール、3-ニトロ-p-ヒドロキシエチルアミノフェノール、4-ニトロ-o-フェニレンジアミン、4-アミノ-3-ニトロフェノール、４−ヒドロキシプロピルアミノ-3-ニトロフェノール、N,N-ビス-(2-ヒドロキシエチル)-2-ニトロ-p-フェニレンジアミン、分散紫１、分散青１、分散黒９、HC青２、HC橙１、HC赤１、HC赤３、HC黄２、HC黄４、HC黄５等が挙げられる。
【００２６】
直接染料の含有量は、本発明に係る毛髪化粧料（二剤式又は三剤式の染毛剤）中、０．００１質量％以上、更には０．０１質量％以上が好ましく、また、５質量％以下、更には３質量％以下が好ましい。
【００２７】
本発明に係る毛髪化粧料を二剤式又は三剤式の染毛剤又は脱色剤の形態で用いる場合、各剤を混合後の２５℃におけるｐＨは、脱色・染毛効果と皮膚刺激性の点から、８以上１１．５以下、更には８．５以上１１以下、更には９以上１０．５以下が好ましい。
【００２８】
なお、毛髪化粧料のｐＨは、卓上ｐＨメータＦ−５１（株式会社堀場製作所製）を用いて、サンプルの温度を２５℃に調整し、直接電極をサンプルに入れて測定する。
【００２９】
〔一剤式染毛料〕
本発明に係る毛髪化粧料は、一剤式染毛料の形態で用いることができる。本発明の毛髪化粧料を一剤式染毛料の形態で用いる場合、該一剤式染毛料中に、着色料として、直接染料及び顔料からなる群より選択される１種以上を含有させることができる。
【００３０】
一般に、着色料として染料（酸化染料中間体）を含有する染毛剤（二剤式又は三剤式の染毛剤）を用いた場合、それによる染色部分は水に強く、染毛効果が比較的長時間（１〜３か月程度）持続するのに対し、着色料として直接染料を含有する染毛剤（一剤式染毛料）を用いた場合、染毛効果が１〜４週間持続し、着色料として顔料を含有する染毛料（一剤式染毛料）を用いた場合、それによる染色部分は水洗いによって簡単に色落ちする。
したがって、本発明に係る毛髪化粧料（一剤式染毛料）を、染毛効果の持続性はそれほど要求しないが、一剤式という簡便な方法で用いたい場合は、着色剤として直接染料が好適であり、一方、染色部分が洗髪等の水洗いによって簡単に色落ちすることが要望される用途（例えば一時染毛料）で用いる場合は、着色剤として顔料が好適である。
【００３１】
＜直接染料＞
直接染料としては、前記二剤式又は三剤式の染毛剤の形態で用いられる直接染料を使用することができる。直接染料の含有量は、着色性、色移りのしにくさ、塗布後の感触と塗布しやすさの点から、本発明に係る毛髪化粧料（一剤式染毛料）中、０．０１質量％以上３０質量％以下、更に０．１質量％以上２５質量％以下、特に１質量％以上２０質量％以下が好ましい。
【００３２】
＜顔料＞
顔料としては、その形状（球状、針状、板状等）や粒子径、粒子構造（多孔質、無孔質等）を問わず、いずれのものも使用することができる。例えば無機顔料、有機顔料、パール顔料、金属粉末顔料、光輝性粉体等が挙げられる。顔料は、単独で又は２種以上を組み合わせて用いることができる。
【００３３】
無機顔料としては、具体的には、カーボンブラック、黒酸化鉄、黒酸化チタン等の無機黒色系顔料；酸化鉄（べんがら）、水酸化鉄、チタン酸鉄等の無機赤色系顔料；γ−酸化鉄等の無機褐色系顔料；黄酸化鉄、黄土等の無機黄色系顔料；群青、紺青等の無機青色系顔料；マンガンバイオレット、コバルトバイオレット等の無機紫色系顔料；酸化クロム、水酸化クロム、チタン酸コバルト等の無機緑色系顔料；酸化チタン、酸化亜鉛、酸化セリウム等の無機白色系顔料等が挙げられる。これらのうち、カーボンブラック、黒酸化鉄、黒酸化チタン、酸化鉄（べんがら）、黄酸化鉄、群青、紺青が好ましい。
【００３４】
有機顔料としては、赤色201号、赤色202号、赤色203号、赤色204号、赤色205号、赤色206号、赤色207号、赤色208号、赤色219号、赤色220号、赤色221号、赤色228号、赤色404号、赤色405号、だいだい色203号、だいだい色204号、だいだい色401号、黄色205号、黄色401号、青色404号等が挙げられ、このうち、赤色202号、赤色404号、黄色205号、黄色401号、青色404号が好ましい。
【００３５】
パール顔料としては、パール粉末、オキシ塩化ビスマス、雲母、金属酸化物被覆雲母（例えば、雲母チタン、酸化鉄被覆雲母、酸化鉄被覆雲母チタン、黒酸化鉄被覆雲母、黒酸化鉄被覆雲母チタン、黄酸化鉄被覆雲母、酸化鉄・黒酸化鉄被覆雲母チタン、紺青被覆雲母チタン、酸化鉄・紺青被覆雲母チタン、カルミン被覆雲母チタン、硫酸バリウム被覆雲母チタンなど）、金属酸化物被覆アルミナフレーク、金属酸化物被覆シリカフレーク、多層コートパール顔料（例えば、TiO2-SiO2-TiO2-Mica等）等が挙げられる。
【００３６】
金属粉末顔料としては、金粉、銀粉、銅粉、アルミニウム粉、真鍮粉等が挙げられる。光輝性粉体としては、ポリエチレンテレフタレート・アルミニウム・エポキシ積層体、ポリエチレンテレフタレート・ポリオレフィン積層フィルム体等が挙げられる。
【００３７】
顔料の含有量は、着色性、色移りのしにくさ、塗布後の感触と塗布しやすさの点から、本発明に係る毛髪化粧料（一剤式染毛料）中、０．０１質量％以上３０質量％以下、更に０．１質量％以上２５質量％以下、特に１質量％以上２０質量％以下が好ましい。
【００３８】
本発明に係る毛髪化粧料を一剤式染毛料の形態で用いる場合、該一剤式染毛料の２５℃におけるｐＨは、１以上、更には２．５以上が好ましく、また、１１以下、更には９以下、更には７以下、更には５．５以下、更には４．５以下が好ましい。
【００３９】
〔整髪料〕
本発明に係る毛髪化粧料は、皮膜形成樹脂を含有する整髪料の形態で用いることができる。皮膜形成樹脂は、毛髪化粧料を毛髪に施すことで、常温にて水及びその他の揮発成分が揮発した後に毛髪の表面に皮膜を形成することが可能な樹脂、つまり皮膜形成能を有する樹脂である。毛髪化粧料が皮膜形成樹脂を含有することで、該毛髪化粧料を毛髪に施すと、該皮膜形成樹脂の作用によって毛髪のスタイリング効果が発現する。皮膜形成樹脂としては、例えばアクリル系樹脂、ビニル系樹脂、縮合系樹脂、天然樹脂、シリコーン系樹脂、含フッ素樹脂を用いることができる。具体例としては、以下の皮膜形成樹脂を挙げることができる。それらの皮膜形成樹脂は、いずれかを単独で、又は２種以上を組み合わせて用いることができる。
【００４０】
前記アクリル系樹脂としては、例えばアクリル酸とその誘導体、メタクリル酸とその誘導体、クロトン酸とその誘導体、アクリルアミド、アクリルアルキルアミド、アクリロニトリル、ジアセトンアクリルアミド及びメタクリルアミドから選ばれる１種又は２種以上の単量体を含む単量体の（共）重合体を用いることができる。これらの中でも、アクリル酸とその誘導体、メタクリル酸とその誘導体から選ばれる１種又は２種以上の単量体の（共）重合体が好ましく、カルボマー、（メタクリル酸／メチルメタクリレイト／ブチルアクリレイト）コポリマーを好適に用いることができる。
【００４１】
前記ビニル系樹脂としては例えばエイコセン、塩化ビニル、酢酸ビニル、スチレン、ネオデカン酸ビニル、ビニルアセタールジエチルアミノアセテート、ビニルピロリドン、ビニルブチラール、ブタジエン及びヘキサデセンから選ばれる１種又は２種以上の単量体を含む単量体の（共）重合体を用いることができる。これらの中でも、酢酸ビニル、ビニルピロリドンから選ばれる１種又は２種以上の単量体の（共）重合体が好ましく、ＶＰ（ビニルピロリドン）／ＶＡ（酢酸ビニル）コポリマー、ＰＶＰ（ポリビニルピロリドン）を好適に用いることができる。
【００４２】
前記縮合系樹脂としては例えば酸と、アルコール又はアルコール誘導体との縮合反応により生成したもの、又はその変性体がある。かかる酸としては例えば無水マレイン酸、フタル酸、イタコン酸、無水シトラコン酸、無水フタル酸、イソフタル酸、テレフタル酸、テトラヒドロ無水フタル酸、コハク酸、アジピン酸、セバチン酸、テトラクロロ無水フタル酸及びヘット酸から選ばれる１種又は２種以上を用いることができる。
【００４３】
前記アルコール又はアルコール誘導体としては例えばエチレングリコール、ジエチレングリコール、トリエチレングリコール、プロピレングリコール、ジプロピレングリコール、１，３−ブタンジオール、２，３−ブタンジオール、グリセリン、ペンタエリスリトール、トリメチロールプロパン及びエピクロルヒドリンから選ばれる１種又は２種以上を用いることができる。
【００４４】
前記シリコーン樹脂としては例えば高重合メチルポリシロキサン（例えば信越シリコーン X-21-7501G）、メチルシロキサン網状重合体、架橋型メチルポリシロキサン（例えば信越シリコーン KSG16、KSG17、Grant Industries 社製Gransil SR 5CYCゲル、Gransil SR DMF10ゲル、Gransil SR DC556ゲル、SF1204、JK113）、架橋型フェニルポリシロキサン、ステアロキシ変性シリコーン（例えば信越シリコーン KF7002）、Ｎ−プロピオニルポリエチレンイミン・メチルポリシロキサン共重合体（ポリシリコーン−９）（特開平７−１３３３５２号公報）及びトリメチルシロキシケイ酸から選ばれる１種又は２種以上を用いることができる。これらの中でも、Ｎ−プロピオニルポリエチレンイミン・メチルポリシロキサン共重合体（ポリシリコーン−９）を好適に用いることができる。
【００４５】
前記含フッ素樹脂としては例えば四弗化エチレン樹脂、ステアリルメタクリレート・パーフルオロアルキルメタクリレート共重合体（特開平４−１００５３４号公報）、フッ素変性シリコーン（特開平９−６７２４０号公報）から選ばれる１種又は２種以上を用いることができる。
【００４６】
これらの皮膜形成樹脂のうち、アクリル酸とその誘導体及びメタクリル酸とその誘導体から選ばれる１種又は２種以上の単量体の（共）重合体、酢酸ビニル及びビニルピロリドンから選ばれる１種又は２種以上の単量体の（共）重合体、Ｎ−プロピオニルポリエチレンイミン・メチルポリシロキサン共重合体（ポリシリコーン−９）が、ヘアスタイルを維持する効果と自然な感触の達成を両立する観点から好ましい。
【００４７】
皮膜形成樹脂の重量平均分子量（ゲルろ過クロマトグラフィー（ポリエチレングリコール換算）による）は、重合条件を選択すれば1,000以上1,000,000以下に制御でき、本発明においては、重量平均分子量10,000以上700,000以下、更には20,000以上500,000以下のものが好ましい。
【００４８】
皮膜形成樹脂は、高い整髪力とごわつきのなさとを両立させる観点から、本発明に係る毛髪化粧料（整髪料）中、好ましくは０．０１質量％以上２０質量％以下、更に好ましくは０．１質量％以上１５質量％以下、更に好ましくは０．５質量％以上１０質量％以下含有する。
【００４９】
本発明に毛髪化粧料を整髪料の形態で用いる場合、該整髪料の２５℃におけるｐＨは、２以上９以下が好ましく、更には３以上８以下が好ましい
【００５０】
［毛髪化粧料塗布具］
本発明に係る毛髪化粧料塗布具（以下、単に「塗布具」ともいう。）は、前述した毛髪化粧料を毛髪（頭髪）に対して塗布するための塗布部を有する。図１には、本発明に係る塗布具の一実施形態が示されている。図１に示す塗布具１は、略円環状に配置された複数の櫛歯２２及び該櫛歯を固定する櫛歯台２０を有する塗布部２と、毛髪化粧料（図示せず）を収容する容器部４とを有し、更に、容器部４と塗布部２との間にこれらの連結部としての延長部５を有する。
【００５１】
更に説明すると、塗布具１は、図１に示すように、櫛歯台２０、剤吐出口２１及び該剤吐出口２１の周囲を囲むように略円環状に配置された複数の櫛歯２２からなる櫛部２３を有する塗布部２と、毛髪化粧料（図示せず）を収容し、該毛髪化粧料を塗布部２に供給可能な容器部４とを有する。また塗布具１は、毛髪化粧料を容器部４から塗布部２に供給するための液導出路５１を持つ延長部５を有する。
【００５２】
塗布部２は、頭髪に接触する部分であり、頭髪を櫛部２３で梳きながら該頭髪に毛髪化粧料を塗布可能になっている。塗布部２は、図２及び図３に示すように、平面視円形状の櫛歯台２０を備えており、該櫛歯台２０の中央部に、延長部５を通じて供給された毛髪化粧料が吐出される剤吐出口２１が開口している。櫛歯２２は、櫛歯台２０に、剤吐出口２１の周囲を囲むように略円環状に複数立設されている。これらの櫛歯２２によって、櫛歯台２０上に、円筒状の櫛部２３が形成されている。櫛歯２２及び櫛歯台２０は、合成樹脂により一体に成形されている。櫛歯２２は、図３に示すように、平面視形状及び横断面形状が円形状であり、剤吐出口２１を囲む円形のライン２４上に等間隔に配置されている。尤も、各櫛歯２２は、それを配置した軌跡が等方性のある図形を描くように配置されていれば、円形のライン２４上に配置されていることを要しない。例えば、正三角形、正六角形又は正八角形等の正多角形の軌跡を描くように各櫛歯２２が配置されていれば良い。本発明における「略円環状」とは、このような正多角形も含む概念である。
【００５３】
櫛歯２２の高さ（櫛歯台２０からの起立高さ）は５ｍｍを超えて３０ｍｍ以下である。複数の櫛歯２２は高さが揃えられている。櫛歯２２の高さを前記範囲内にすることにより、特にセミロングより長い頭髪（例えば、約３５〜４５ｃｍ）に対し、頭部の頭頂部側から頭髪の毛先方向に向かって一回移動させる一度の塗布操作で、ある程度の塗布幅で、ある程度の長さにわたって毛髪化粧料を塗布することが可能となると共に、隣接する櫛歯２２，２２間の隙間から毛髪化粧料が漏れ出す不都合が効果的に防止される。櫛歯２２の高さは、好ましくは６ｍｍ以上２５ｍｍ以下、より好ましくは６．５ｍｍ以上２３ｍｍ以下、更に好ましくは７ｍｍ以上２０ｍｍ以下である。
【００５４】
また、同様の観点から、櫛歯２２の基端部の断面中心が外接して通る円状ライン２４の内径Ｌ４（図３参照）は、５ｍｍ以上３０ｍｍ以下であることが好ましく、より好ましくは５ｍｍ以上２０ｍｍ以下、更に好ましくは５ｍｍ以上１５ｍｍ以下であり、一層好ましくは８ｍｍ以上１３ｍｍ以下である。内径Ｌ４を前記の範囲内にすることで、自然な仕上がりを達成することができる。なお、本発明において、櫛部の内径とは、櫛歯２２の基端部の断面中心が外接して通る円状ラインの内径をいう。また、櫛歯２２の幅Ｗは、櫛歯２２の機械的強度を向上させると共に、櫛歯２２を毛髪に挿入させやすくする観点から、０．１ｍｍ以上５ｍｍ以下であることが好ましく、より好ましくは０．１ｍｍ以上３ｍｍ以下であり、更に好ましくは０．５ｍｍ以上２．５ｍｍ以下である。櫛歯２２の幅Ｗとは、剤吐出口２１の中央部側から櫛歯２２を見たときの投影幅である（図３参照）。
【００５５】
櫛歯２２は、先端２２ｓを有する先端部２２ａと、該先端部２２ａよりも櫛歯台２０寄りに位置する基端部２２ｂとを有している。櫛歯２２の先端２２ｓは、図４に示す如き側面視において櫛歯２２の軸方向外方に向けて凸の弧状をなしている。基端部２２ｂは、その長さ方向の全長にわたって前記幅Ｗ（直径）が一定であるのに対し、先端部２２ａは、その先端から基端部２２ｂに向かうに従って前記幅Ｗ（直径）が漸次減少しており、先端側が基端側に比して幅（直径）の大きい逆テーパー形状をなしている。先端部２２ａと基端部２２ｂとの境界は、櫛歯２２の長手方向（起立方向）の略中央か、該中央よりもやや櫛歯台２０寄りに存する。
【００５６】
図４に示すように、延長部５の上端は開口しており、開口端に環状リブ５２が突設されている。一方、塗布部２の櫛歯台２０の下面部には、環状リブ５２と相補形状をなす環状溝部２６が凹設されている。そして、環状リブ５２と環状溝部２６とが嵌合することで、延長部５と塗布部２とが結合する。延長部５の下端については、以下に述べる接続キャップ４５（図１参照）の上端と嵌合可能になっており、該嵌合によって延長部５と接続キャップ４５とが結合している。
【００５７】
図１に戻ると、容器部４は、スクイズ可能な有底筒状の外容器４２と、外容器４２内に配置され、口部が外容器４２の円筒状の口部内面に気密に接合された内袋４３とを有する容器本体４１と、容器本体４１の口首部に取り付けられる逆止弁４４付きの接続キャップ４５とからなる二重構造の容器からなる。接続キャップ４５の内面にはネジ山が設けられており、このネジ山は、容器本体４１の口首部の外面に設けられたネジ山と螺合可能になっている。容器部４は、外容器４２を片手で把持し、その片手で該外容器４２をスクイズすることにより、外容器４２自体又は外容器４２と内袋４３との間の空気が、内部の内袋４３を押圧し、それにより内袋４３内の毛髪化粧料が押し出されて液導出路５１を介して剤吐出口２１に供給される。接続キャップ４５の上部には、容器部４と塗布部２との間に所定の間隔を形成する延長部５が結合しており、延長部５の他端は、前記の櫛歯台２０の裏面側に結合している。延長部５は、内部に液導出路５１を備え、液導出路５１を介して、容器部４と剤吐出口２１との間を連通している。
【００５８】
外容器４２の円筒状の口部には、外容器４２と内袋４３との間の空間と、外容器４２の外部とを連通する吸入孔４２ａが形成されている。そして、押圧されて変形した外容器４２が、弾性復元力により元の状態に戻るときに、容器部４の外部の空気が、接続キャップ４５の下端と外容器４２との間に設けた隙間４２ｂ及び吸入孔４２ａを通って、外容器４２と内袋４３との間に流入する。容器部４は、このような構成を有することで、外周面を押圧して変形させる操作を繰り返すことにより、内容物である毛髪化粧料を徐々に剤吐出口２１から吐出させることができる。
【００５９】
容器部４に、このような二重構造の容器を用いることにより、内部の毛髪化粧料の残量が減っても、容器部４がしぼんで把持しにくくなることを防止できる。また、接続キャップ４５や、容器部４内の空間と剤吐出口２１とを連通する液導出路５１等に逆止弁４４を設けて、剤の吐出後に空気が液導出路５１や容器部４に逆流することを防止することにより、次回の吐出の際に、毛髪化粧料が出にくくなったり毛髪化粧料が飛び散ったりすることを防止することができる。更に逆止弁４４を設けることで、塗布部２と容器部４との空間的な位置関係がいかなる場合であっても、毛髪化粧料を塗布部２へ供給することができる。容器部４の外容器４２における接続キャップ４５に覆われていない部分から櫛部２３までの距離Ｌ（図１参照）は、頭髪への塗布状態の目視による確認性を高める観点及び塗布作業の容易等の観点から、４０ｍｍ以上２００ｍｍ以下であることが好ましく、より好ましくは６０ｍｍ以上１３０ｍｍ以下であり、更に好ましくは７０ｍｍ以上１１０ｍｍ以下である。また、距離Ｌは、頭髪の狙った場所への塗布容易性の観点から、１５ｍｍ以上７５ｍｍ以下であることが好ましく、より好ましくは３０ｍｍ以上７０ｍｍ以下であり、更に好ましくは４５ｍｍ以上６５ｍｍ以下である。
【００６０】
以上の構成を有する塗布具１は、本発明に係る毛髪化粧品の使用前においては分解された状態になっている。例えば容器本体４１と、塗布部２、延長部５及び接続キャップ４５の３つが結合した部材との２パーツの状態になっている。
【００６１】
図５には、塗布具の別の実施形態が示されている。同図に示す塗布具１Ａに関し、先に図１ないし図４に基づき説明した塗布具１と同じ部材には同じ符号を付して、その説明を省略する。図５に示す塗布具１Ａは、図１ないし図４に示す塗布具１と異なり、延長部５（図１参照）を有していない点以外は、塗布具１と同じ構造を有している。塗布具１Ａにおいては、接続キャップ４５の上端に、略截頭錐体形の連結部４６が連設されている。連結部４６の内部は中空になっており、その中空の空間が液導出路５１となっている。連結部４６の上部において液導出路５１は開口しており、その開口が塗布部２の剤吐出口２１と接続されている。その結果、塗布具１Ａの容器部４に収容された毛髪化粧料は、連結部４６の液導出路５１を通じて、塗布部２の剤吐出口２１へ供給されるようになっている。本発明においては、毛髪化粧料の種類や、毛髪化粧料を施す頭髪の部位に応じて、図１に示す塗布具１を用いることもでき、また図５に示す塗布具１Ａを用いることもできる。
【００６２】
［毛髪化粧料の塗布方法］
本発明の毛髪化粧料の塗布方法は、前述した毛髪化粧料及び毛髪化粧料塗布具を具備する、本発明に係る毛髪化粧品を用いて実施される。本発明に係る毛髪化粧品の使用に際し、これを構成する毛髪化粧料が二剤式又は三剤式の染毛剤又は脱色剤の場合には、個別の容器（図示せず）内に密封収容された複数の剤（二剤式の場合は第１剤及び第２剤、三剤式の場合は第１剤、第２剤及び第３剤）を混合し、染毛剤又は脱色剤を調製する必要がある。この二剤式又は三剤式の染毛剤又は脱色剤の調製（各剤の混合）は、得られた染毛剤又は脱色剤を毛髪に塗布するのに使用する塗布具１の一部である、容器部４を用いて行うのが便利である。例えば、二剤式の染毛剤又は脱色剤を調製する場合、第１剤及び第２剤を密封収容している容器を開封して、該第１剤及び第２剤を容器部４内に投入し、該容器部４の開口部を閉栓部材で閉塞し、その閉塞状態下に該容器部４を振って各剤の混合を促進させ、毛髪化粧料を生じさせる。本発明に係る毛髪化粧品は、その使用前において容器部４内に予め第１剤及び第２剤の一方が収容されていても良く、その場合の該毛髪化粧品の使用前の準備（毛髪化粧料の調製）としては、容器部４内に収容されていない他方を容器部４内に投入すれば良い。
【００６３】
本発明の毛髪化粧料の塗布方法は、（１）毛髪化粧料塗布具の塗布部における複数の櫛歯で包囲された部分に、該櫛歯の先端から１ｍｍ以上５ｍｍ以下離れた下方位置まで毛髪化粧料を供給する工程、及び（２）該塗布部に供給された毛髪化粧料を毛髪に束状に塗布する工程を少なくとも有する。以下、工程（１）及び工程（２）のそれぞれについて説明する。なお、以下の説明は、図１に示す形態の塗布具１を用いた場合に基づくものであるが、これに代えて図５に示す形態の塗布具１Ａを用いることが可能であることは言うまでもない。
【００６４】
〔工程（１）〕
本工程の一つの実施形態においては、まず塗布具１の外容器４２を片手で把持し、該外容器４２を１回又は２回以上繰り返しスクイズすることにより、容器部４内に収容されている毛髪化粧料を塗布部２に供給し、該塗布部２の剤吐出口２１から毛髪化粧料を吐出させことができる。そして、図６に示すように、筒状の櫛部２３の内側（複数の櫛歯２２で包囲された部分）に所望の量の毛髪化粧料３を溜めることができる。
【００６５】
ここで重要なのは、櫛部２３の内側に溜める毛髪化粧料３の量を、毛髪化粧料３の上面の位置が、櫛歯の先端２２ｓから１ｍｍ以上５ｍｍ以下離れた下方位置に存するように調整することである。斯かる毛髪化粧料３の供給量又は保持量の調整は、外容器４２のスクイズの回数やスクイズするときに外容器４２に加える外力（握力等）を適宜調整することで可能である。毛髪化粧料３の上面の位置を櫛歯２２の先端２２ｓの位置と同じにする、即ち、複数の櫛歯２２で画成された空間部（筒状の櫛部２３の内側）の全体に毛髪化粧料３を供給してしまうと、次工程の工程（２）で、櫛部２３を頭髪側に向けて押し当てたときに、櫛歯２２の先端２２ｓの近傍の毛髪化粧料３が頭皮に付着するため、特に頭髪における塗布開始部分（櫛部２３を最初に押し当てた部分）に対し、意図しない頭皮の着色や無用な刺激を与えるおそれがある。これに対し、複数の櫛歯２２で画成された空間部に、櫛歯２２の先端から１ｍｍ以上５ｍｍ以下離れた下方位置まで毛髪化粧料を供給するようにすることで、後述する実施例において例証されるとおり、頭皮への毛髪化粧料の付着が抑えられ、塗布開始部分への毛髪化粧料の過剰塗布、頭皮の着色、頭皮の刺激といった不都合が効果的に防止される。斯かる有利な効果をより確実に奏させるようにする観点から、毛髪化粧料３の上面の位置は、櫛歯２２の先端２２ｓから１ｍｍ以上４ｍｍ以下離れた下方位置が好ましく、櫛歯２２の先端２２ｓから１ｍｍ以上３ｍｍ以下離れた下方位置が更に好ましい。さらに、櫛歯２２のうち、毛髪化粧料３の上面に対応する位置、例えば櫛歯２２の先端２２ｓから１ｍｍ以上４ｍｍ以下離れた下方位置に、毛髪化粧料の供給量又は保持量の指標を設けることが好ましい。
【００６６】
〔工程（２）〕
本工程の一つの実施形態においては、毛髪化粧料３を保持した塗布部２を、図７に示すように、使用者の頭部に移動し、櫛部２３を頭髪側に向けて押し当てることができる。この押し当てによって、塗布部２に設けられている複数の櫛歯２２の間に毛髪を挿入させ、かつ櫛歯２２の間に毛髪を保持する。これによって複数本の毛髪からなる毛束が櫛部２３によって把持される。引き続き、塗布部２を、毛髪の根元から毛先方向に向けて移動させ、櫛部２３で毛束を梳きながら、隣接した櫛歯２２間に挿入された毛髪に対して毛髪化粧料３を塗布することができる。剤吐出口２１の櫛歯２２が、各櫛歯２２によって描かれる軌跡が等方性の図形である略円環となるように配置されているので、塗布部２の移動中に、該塗布部２の向きが意図せず変わったとしても、毛髪化粧料３の塗布幅は実質的に変わらないので、毛髪化粧料を略一定の幅で容易に塗布することができる。このように、本工程においては、塗布部２の櫛歯２２で毛髪を把持しながら毛髪化粧料３を毛髪に束状に塗布する。「毛髪化粧料３を毛髪に束状に塗布する」とは、塗布部２の櫛部２３によって把持された毛束を構成する個々の毛髪に対して、いちどきに毛髪化粧料３を塗布することを言う。毛髪化粧料３の塗布は、頭髪全体のうちの一部分でも良く、あるいは頭髪全体でも良い。
【００６７】
毛髪化粧料３が塗布された毛束は、該化粧料中に皮膜形成樹脂が含まれている場合には、形付けが行いやすくなる。毛髪化粧料３中に顔料や染料が含まれている場合には、毛束に形付けが行いやすくなると共に、該毛束をカラーリングすることができる。
【００６８】
〔工程（３）〕
本発明の毛髪化粧料の塗布方法は、工程（１）及び（２）を複数箇所にわたって複数回繰り返すことで、毛髪化粧料を毛髪に束状に複数条塗布する工程を更に有しても良い。これによって、頭髪の複数箇所の毛束に対して、毛髪化粧料の種類に応じた処理（カラーリング、脱色、形付け等）を行うことができる。工程（１）及び（２）は、好ましくは３回以上２０回以下、より好ましくは４回以上１５回以下、更に好ましくは５回以上１２回以下繰り返すことができる。これによって、頭髪の広い範囲にわたって毛髪化粧料を束状に塗布することができ、自然なスタイリングや、毛髪のボリュームアップを図ることができる。本工程による毛髪化粧料３の塗布は、頭髪全体のうちの一部分でも良く、あるいは頭髪全体でも良い。いずれの場合であっても、毛髪化粧料が束状に塗布された毛髪と、その周辺に位置し、かつ毛髪化粧料が塗布されていない毛髪とが存在するように、本工程の操作を行うことが好ましい。
【００６９】
〔工程（４）〕
本発明の毛髪化粧料の塗布方法は、毛髪化粧料が皮膜形成樹脂を含有する整髪料である場合には、工程（１）及び（２）の後に、又は工程（３）の後に、毛髪化粧料が束状に塗布された毛髪と、その周辺の毛髪とを形付けする工程である工程（４）を更に有しても良い。形付けの代表例としては、カーラーやヘアアイロンを用いた毛束のカールが挙げられる。本工程を行うことで、毛髪化粧料３が付着した毛束がしっかりしたカールで芯のような働きをし、該毛束の周辺に位置し、かつ毛髪化粧料３が塗布されていない毛髪が緩くカールするので、形付けが長時間にわたって維持されると共に、柔らかい感触が発現する。特に、毛髪化粧料３が顔料や染料を含む場合には、毛髪化粧料３が付着した毛束の色と、その周辺に位置する毛髪の色とが相違することになるので、一層個性的なヘアスタイルとなる。これに対して、毛髪化粧料３を全く塗布せずに形付けをした場合には、柔らかい感触は発現するものの、形付けを長時間にわたって維持することは容易でない。一方、頭髪全体に毛髪化粧料３を塗布した場合には、しっかりとした形付けを行うことはできるが、毛髪全体が硬い感触になってしまう。このように本工程によれば、長時間にわたって、自然なスタイリング、及び毛髪のボリュームアップを持続させることができる。
【００７０】
図８には、毛髪化粧料塗布具における塗布部２の別の形態が示されている。同図に示す塗布部２では、複数の櫛歯で包囲された部分への毛髪化粧料３の供給量又は保持量の指標を、複数の該櫛歯の少なくとも一つに設けている。指標は、複数の櫛歯で包囲された部分へ供給された毛髪化粧料３の上面の位置決めのために用いられるものである。塗布部２は、高さの異なる２種以上の櫛歯を有している。図８には、高さの異なる２種の櫛歯が表されている。これらの櫛歯は、相対的に高さの高い第１櫛歯２２１と、第１櫛歯２２１よりも高さが相対的に低い第２櫛歯２２２とからなる。第１櫛歯２２１及び第２櫛歯２２２は、単一の略円環状に配置されている。また第１櫛歯２２１及び第２櫛歯２２２は、交互に規則的に配置されている。そして、高さが最も高い櫛歯である第１櫛歯２２１以外の櫛歯、即ち第２櫛歯２２２を前記指標として用いている。具体的には、指標として用いられる第２櫛歯２２２の先端の位置を供給量又は保持量の目標にして、第１及び第２櫛歯２２１，２２２で包囲された部分へ毛髪化粧料３を供給する。そして、毛髪化粧料３の上面が、第２櫛歯２２２の先端と略一致するように、該毛髪化粧料３を供給する。
【００７１】
本実施形態によれば、これまでの実施形態に比べて、毛髪化粧料３の供給量又は保持量の調整を容易に、かつ再現性良く行うことができる。したがって、毛髪化粧料３を毛髪に過剰に塗布することが一層効果的に防止される。また、毛髪化粧料３による頭皮の着色が一層効果的に防止される。
【００７２】
上述の効果を更に一層効果的なものとする観点から、前記指標を、櫛歯のうち、高さが最も高い櫛歯の先端から下方に１ｍｍ以上５ｍｍ以下の距離を置いた位置に設けることが好ましい。つまり本実施形態においては、第２櫛歯２２２の高さを、第１櫛歯２２１の高さよりも１ｍｍ以上５ｍｍ以下の範囲で低くすることが好ましい。なお、本実施形態においては、第１櫛歯２２１と第２櫛歯２２２とが交互に規則的に配置されていたが、これ以外の配置形態を採用しても良い。
【００７３】
図９に示す実施形態の塗布部２は、図８に示す実施形態の塗布部の変形例である。本実施形態においては、塗布部２は、高さの異なる３種の櫛歯である第１櫛歯２２１、第２櫛歯２２２及び第３櫛歯２２３を備えている。これら３種類の櫛歯のうち、第１櫛歯２２１の高さが最も高く、第２櫛歯２２２の高さが最も低く、第３櫛歯２２３の高さは、第１櫛歯２２１と第２櫛歯２２２との間にある。これら３種類の櫛歯は、第１櫛歯２２１、第３櫛歯２２３、第２櫛歯２２２、第３櫛歯２２３の配列が一つの繰り返し単位になっており、この繰り返し単位が反復されるように規則的に配置されている。本実施形態においては、高さが最も低い櫛歯である第２櫛歯２２２が前記指標として用いられる。したがって、毛髪化粧料（図示せず）は、その上面が、第２櫛歯２２２の先端と略一致するように供給される。本実施形態によれば、図８に示す実施形態によって奏される効果に加えて、櫛歯の間に毛髪がより入り易くなるという効果も奏される。なお、本実施形態においては、第１櫛歯２２１ないし第３櫛歯２２３が、上述の繰り返し単位に基づき規則的に配置されていたが、これ以外の配置形態を採用しても良い。
【００７４】
図１０に示す実施形態の塗布部２も、図８に示す実施形態の塗布部の変形例である。本実施形態においては、高さの異なる２種類の櫛歯である第１櫛歯２２１及び第２櫛歯のいずれもが、その横断面の形状が、高さ方向に沿ういずれの位置においても同じなっている。したがって、例えば横断面の形状が円形である場合、各櫛歯２２１，２２２は略円柱状の形状をしている。本実施形態によれば、図８に示す実施形態によって奏される効果と同様の効果が奏される。
【００７５】
図１１に示す実施形態の塗布部２は、これまでの実施形態と異なり、複数の櫛歯が、第１円環２４Ａをなす第１櫛歯群２４１と、第２円環２４Ｂをなす第２櫛歯群２４２とからなる。第２円環２４Ｂは、第１円環２４Ａの内側に位置するように略同心円状に配置されている。つまり複数の櫛歯は、二重の略環状となるように配されている。第１の櫛歯群２４１を構成する各第１櫛歯２２１は、その高さがいずれも同じになっている。第２の櫛歯群２４２を構成する第２櫛歯２２２についても同様であり、各第２櫛歯２２２は、その高さがいずれも同じになっている。そして、第２櫛歯群２４２の櫛歯は２２２、その高さが第１櫛歯群２４１の櫛歯２２１の高さよりも低くなっている。本実施形態においては、高さが最も低い櫛歯である第２櫛歯２２２が前記指標として用いられる。毛髪化粧料は、第１円環２４Ａの内側に溜められる。
【００７６】
図１２に示す実施形態の塗布部２では、複数の櫛歯２２は、それらの高さがいずれも同じになっている。各櫛歯２２においては、該櫛歯２２の先端から下方に距離を置いた位置に印２２ｍが設けられている。そして、この印２２ｍを前記指標として用いている。印２２ｍは、例えば櫛歯２２の側面から水平方向の外方に突出したリブであり得る。あるいは印２２ｍは、櫛歯２２の側面から、水平方向の内方に向けて凹陥した凹部であり得る。更に印２２ｍは、櫛歯２２の側面の地色と異なる色に着色された着色部位であり得る。図１２においては、印２２ｍはすべての櫛歯２２に設けられているが、これに代えて１又は２以上のいずれかの櫛歯２２に印２２ｍを設けても良い。
【００７７】
図１３に示す実施形態の塗布部２は、図１２に示す実施形態の変形例である。本実施形態では、複数の櫛歯２２は、それらの高さがいずれも同じになっている。各櫛歯２２においては、該櫛歯２２の先端から下方に距離を置いた位置までの全域にわたり印２２ｎが設けられている。そして、この印２２ｎを前記指標として用いている。「全域にわたり」とは、櫛歯２２の高さ方向に関して適用されるものである。したがって、櫛歯２２の周方向の全域にわたって印２２ｎが形成されていることは要しない。また、図１３においては、印２２ｎはすべての櫛歯２２に設けられているが、これに代えて１又は２以上のいずれかの櫛歯２２に印２２ｎを設けても良い。印２２ｎは例えば、櫛歯２２の側面の地色と異なる色に着色された着色部位であり得る。
【００７８】
図１４に示す実施形態の塗布部２では、複数の櫛歯２２は、それらの高さがいずれも同じになっている。各櫛歯２２は、該櫛歯２２の先端から下方に距離を置いた位置までの領域である上部域Ｔと、該位置から更に下方の領域である下部域Ｂとの２つの部位から構成されている。上部域Ｔは、その横断面の形状が、高さ方向に沿ういずれの位置においても同じなっている。同様に下部域Ｂも、その横断面の形状が、高さ方向に沿ういずれの位置においても同じなっている。そして上部域Ｔの太さが、下部域Ｂの太さと異なっている。具体的には、上部域Ｔの太さの方が、下部域Ｂの太さよりも細くなっている。その結果、櫛歯２２においては、上部域Ｔと下部域Ｂとの境界の位置に段差Ｓが設けられている。この段差Ｓが前記指標として用いられる。毛髪化粧料３は段差Ｓの位置まで供給される。
【００７９】
図１５には、毛髪化粧料塗布具の別の実施形態が示されている。これまで説明してきた実施形態の毛髪化粧料塗布具では、容器部４はスクイズ可能なものであったが、本実施形態の毛髪化粧料塗布具１Ｂでは、容器部４はスプレー容器からなる。塗布部２は、接続キャップ４５を介して、容器部４の首部４６に、螺合との手段によって結合されるようになっている。結合状態においては、容器部４のステム４７が、接続キャップ４５の内側に設けられたアクチュエータ（図示せず）と嵌合する。アクチュエータには中空路（図示せず）が設けられており、該中空路は延長部５の液導出路５１（図１参照）と連通している。またアクチュエータは、延長部５の下端部近傍に設けられた押し下げ用突起４８に接続されている。そして使用者が陽気部４を把持した状態下に、指で押し下げ用突起４８を押し下げることでアクチュエータが押し下げられ、それによってステムが下がり、ステム孔（図示せず）が開口する。これと同時に、容器部４に充填されている噴射剤の圧力によって毛髪化粧料が吸い上げられ、開口部からステム４７、アクチュエータ、液導出路５１を通って塗布部２に供給される。
【００８０】
以上、本発明について説明したが、本発明は、前述した実施形態に制限されず適宜変更可能である。例えば、塗布具１，１Ａ，１Ｂにおける櫛歯２２は、先端側が基端側に比して幅（直径）の大きい逆テーパー形状部分（先端部２２ａ）を有していたが、逆テーパー形状部分を有していなくても良く、例えば図１０に示すとおり、櫛歯２２の全長にわたって幅（直径）が一定であっても良い。更に、逆テーパーに代えて、櫛歯２２が、その基部から先端部に向かうに連れて漸次細くなる順テーパー状であっても良い。更に、前述した一の実施形態のみが有する部分は、すべて適宜相互に利用できる。
【００８１】
以上述べた実施形態に関し、以下に本発明の好ましい態様を更に開示する。
＜１＞
３０℃における粘度が３Ｐａ・ｓ以上３０Ｐａ・ｓ以下である毛髪化粧料と、毛髪に対して該毛髪化粧料を束状に塗布する塗布部を有する毛髪化粧料塗布具とを具備する毛髪化粧品であって、該塗布部が、略円環状に配置された複数の櫛歯及び該櫛歯を固定する櫛歯台を有し、該櫛歯の高さが５ｍｍを超えて３０ｍｍ以下である毛髪化粧品を用いた毛髪化粧料の塗布方法であって、
以下の工程（１）及び（２）を有する毛髪化粧料の塗布方法。
（１）前記塗布部における複数の前記櫛歯で包囲された部分に、該櫛歯の先端から１ｍｍ以上５ｍｍ以下離れた下方位置まで前記毛髪化粧料を供給する工程。
（２）前記塗布部に供給された毛髪化粧料を毛髪に束状に塗布する工程。
【００８２】
＜２＞
工程（２）において、前記塗布部の櫛歯で毛髪を把持しながら前記毛髪化粧料を毛髪に束状に塗布する＜１＞記載の毛髪化粧料の塗布方法。
【００８３】
＜３＞
工程（２）において、前記塗布部を毛髪の根本から毛先方向に移動させることで、前記毛髪化粧料を毛髪に束状に塗布する＜１＞又は＜２＞記載の毛髪化粧料の塗布方法。
【００８４】
＜４＞
更に、工程（１）及び（２）を複数箇所にわたって複数回繰り返す工程である工程（３）を行うことで、前記毛髪化粧料を毛髪に束状に塗布する＜１＞ないし＜３＞のいずれか一に記載の毛髪化粧料の塗布方法。
【００８５】
＜５＞
前記毛髪化粧料塗布具が毛髪化粧料を収容する容器部を有する＜１＞ないし＜５＞のいずれか一に記載の毛髪化粧料の塗布方法。
【００８６】
＜６＞
前記容器部と前記塗布部との間に連結部を有する＜５＞記載の毛髪化粧料の塗布方法。
【００８７】
＜７＞
前記毛髪化粧料が酸化染料中間体を含有する＜１＞ないし＜６＞のいずれか一に記載の毛髪化粧料の塗布方法。
【００８８】
＜８＞
前記毛髪化粧料が直接染料を含有する＜１＞ないし＜７＞のいずれか一に記載の毛髪化粧料の塗布方法。
【００８９】
＜９＞
前記毛髪化粧料が顔料を含有する＜１＞ないし＜８＞のいずれか一に記載の毛髪化粧料の塗布方法。
【００９０】
＜１０＞
前記毛髪化粧料が皮膜形成樹脂を含有する＜１＞ないし＜９＞のいずれか一に記載の毛髪化粧料の塗布方法。
【００９１】
＜１１＞
３０℃における毛髪化粧料の粘度が好ましくは５Ｐａ・ｓ以上、より好ましくは７Ｐａ・ｓ以上、更に好ましくは８．５Ｐａ・ｓ以上であり、好ましくは１５Ｐａ・ｓ以下、より好ましくは１３Ｐａ・ｓ以下である＜１＞ないし＜１０＞のいずれか一に記載の毛髪化粧料の塗布方法。
【００９２】
＜１２＞
櫛歯の高さが、好ましくは６ｍｍ以上、より好ましくは６．５ｍｍ以上、更に好ましくは７ｍｍ以上であり、好ましくは２５ｍｍ以下、より好ましくは２３ｍｍ以下、更に好ましくは２０ｍｍ以下である＜１＞ないし＜１１＞のいずれか一に記載の毛髪化粧料の塗布方法。
【００９３】
＜１３＞  前記工程（１）において、前記櫛歯の先端から好ましくは４ｍｍ以下、より好ましくは３ｍｍ以下離れた下方位置まで前記毛髪化粧料を供給する＜１＞ないし＜１２＞のいずれか一に記載の毛髪化粧料の塗布方法。
【００９４】
＜１４＞  前記櫛歯の基端部の断面中心が外接して通る円状ラインの内径が、好ましくは５ｍｍ以上、より好ましくは６ｍｍ以上、更に好ましくは８ｍｍ以上であり、好ましくは３０ｍｍ以下、より好ましくは２０ｍｍ以下、更に好ましくは１５ｍｍ以下、更に好ましくは１３ｍｍ以下である＜１＞ないし＜１３＞のいずれか一に記載の毛髪化粧料の塗布方法。
【００９５】
＜１５＞
櫛歯２２の幅が、好ましくは０．１ｍｍ以上、より好ましくは０．５ｍｍ以上であり、好ましくは５ｍｍ以下、より好ましくは３ｍｍ以下、更に好ましくは２．５ｍｍ以下である＜１＞ないし＜１４＞のいずれか一に記載の毛髪化粧料の塗布方法。
＜１６＞
３０℃における粘度が３Ｐａ・ｓ以上３０Ｐａ・ｓ以下である毛髪化粧料と、毛髪に対して該毛髪化粧料を塗布する塗布部を有する毛髪化粧料塗布具とを具備する毛髪化粧品であって、
該塗布部が、略円環状に配置された複数の櫛歯及び該櫛歯を固定する櫛歯台を有し、
複数の該櫛歯で包囲された部分への該毛髪化粧料の供給量又は保持量の指標となる指標を、複数の該櫛歯の少なくとも一つに設けた毛髪化粧品。
＜１７＞
前記指標を、前記櫛歯のうち、高さが最も高い櫛歯の先端から下方に１ｍｍ以上５ｍｍ以下の距離を置いた位置に設けた＜１６＞に記載の毛髪化粧品。
＜１８＞
前記櫛歯の高さが５ｍｍを超えて３０ｍｍ以下である＜１６＞又は＜１７＞に記載の毛髪化粧品。
＜１９＞
複数の前記櫛歯が、高さの異なる２種以上の櫛歯からなり、高さが最も高い櫛歯以外の櫛歯を前記指標として用いた＜１６＞ないし＜１８＞のいずれか１に記載の毛髪化粧品。
【００９６】
＜２０＞
高さの異なる２種以上の櫛歯が単一の略円環状に配置されている＜１９＞に記載の毛髪化粧品。
＜２１＞
複数の前記櫛歯は、第１円環をなす第１櫛歯群と、第２円環をなす第２櫛歯群とからなり、
第２円環は、第１円環の内側に位置するように略同心円状に配置されており、
第２櫛歯群の櫛歯は、その高さが第１櫛歯群の櫛歯の高さよりも低くなっている＜１９＞に記載の毛髪化粧品。
＜２２＞
複数の前記櫛歯は、それらの高さがいずれも同じになっており、該櫛歯の先端から下方に距離を置いた位置に印を設け、該印を前記指標として用いた＜１６＞ないし＜１８＞のいずれか１に記載の毛髪化粧品。
＜２３＞
複数の前記櫛歯は、それらの高さがいずれも同じになっており、該櫛歯の先端から下方に距離を置いた位置までの全域にわたり印を設け、該印を前記指標として用いた＜１６＞ないし＜１８＞のいずれか１に記載の毛髪化粧品。
＜２４＞
複数の前記櫛歯が、それらの高さがいずれも同じになっており、該櫛歯の先端から下方に距離を置いた位置までの太さを、該位置から更に下方の部分の太さと異ならせることで、該位置に段差を設け、該段差を前記指標として用いた＜１６＞ないし＜１８＞のいずれか１に記載の毛髪化粧品。
【実施例】
【００９７】
以下、実施例により本発明を更に詳細に説明する。しかしながら本発明の範囲は、かかる実施例に制限されない。
【００９８】
〔実施例１〕
以下の表２ないし４に示す組成を有する組成物Ａ、Ｂ及びＣを調製し、これらを質量比Ａ：Ｂ：Ｃ＝３５：５０：１５で混合し、毛髪化粧料１とした。毛髪化粧料１は、三剤式の脱色剤であり、組成物Ａは前記第１剤、組成物Ｂは前記第２剤、組成物Ｃは前記第３剤に相当する。各組成物は、使用前は、それぞれ独立に別個の容器に収容されており、使用に際しては、各容器を開封して毛髪化粧料塗布具における容器部内に投入し、該容器部の開口部を閉栓部材で閉塞し、その閉塞状態下に該容器部を振って各組成物の混合を促進させ、毛髪化粧料１を調製した。毛髪化粧料塗布具として、図１に示す塗布具１を用いた。塗布具の寸法は表１に示すとおりである。こうして、塗布具１の容器部４に毛髪化粧料１が収容された毛髪化粧品を用意した。
【００９９】
【表１】
2015071033.tif 000003
【０１００】
こうして用意した毛髪化粧品を用い、頭髪の部分塗布を行った。即ち、毛髪化粧品の容器部４をスクイズして、該容器部４から塗布部２に向けて毛髪化粧料１を供給し、複数の櫛歯２２で画成された空間部（筒状の櫛部２３の内側）に、毛髪化粧料１の上面の位置が櫛歯２２の先端２２ｓから３ｍｍ離れた下方位置に存するように、毛髪化粧料１の充填量を調整した。その状態下に櫛部２３を、セミロングより長い頭髪を有するマネキンヘッドの該頭髪の根元に押し当て、更に毛先方向へ移動させて、毛髪の根元から毛先まで毛髪化粧料１を束状に５条、等間隔で塗布した。
【０１０１】
以上の操作を、染毛、脱色及びスタイリング等の施術経験の豊富な５人のパネラーに行わせ、頭皮への毛髪化粧料の付着の程度が、他の一般消費者向け製品と比較して優位に少ないと思うか否かの評価を行わせた。頭皮への毛髪化粧料の付着の程度が少ないことは、毛髪化粧料による頭皮刺激や頭皮付着、仕上がりの不均一さ等の不都合の発生防止に繋がる。その結果を以下の表１０に示す。
【０１０２】
〔実施例２〕
以下の表５、６に示す組成を有する組成物Ｄ、Ｅを調製し、これらを質量比Ｄ：Ｅ＝１：１．５で混合し、毛髪化粧料２とした。毛髪化粧料２は、二剤式の染毛剤であり、組成物Ｄは前記第１剤、組成物Ｅは前記第２剤に相当する。この毛髪化粧料２を用いた以外は実施例１と同様にして頭髪の部分塗布を行い、実施例１と同様の評価を行った。その結果を以下の表１０に示す。
【０１０３】
〔実施例３〕
以下の表７に示す組成を有する組成物Ｆを調製し、一剤式染毛料である毛髪化粧料３とした。この毛髪化粧料３を用いた以外は実施例１と同様にして頭髪の部分塗布を行い、実施例１と同様の評価を行った。その結果を以下の表１０に示す。
【０１０４】
〔実施例４〕
以下の表８に示す組成を有する組成物Ｇを調製し、一剤式染毛料である毛髪化粧料４とした。この毛髪化粧料４を用いた以外は実施例１と同様にして頭髪の部分塗布を行い、実施例１と同様の評価を行った。その結果を以下の表１０に示す。
【０１０５】
〔実施例５〕
以下の表９に示す組成を有する組成物Ｈを調製し、整髪料である毛髪化粧料５とした。この毛髪化粧料５を用いた以外は実施例１と同様にして頭髪の部分塗布を行い、実施例１と同様の評価を行った。その結果を以下の表１０に示す。
【０１０６】
〔比較例１〜５〕
毛髪化粧料１〜５を用い、頭髪の部分塗布を次のように行った。即ち、毛髪化粧品の容器部４をスクイズして、該容器部４から塗布部２に向けて毛髪化粧料を供給し、複数の櫛歯２２で画成された空間部（筒状の櫛部２３の内側）に、毛髪化粧料の上面の位置が櫛歯２２の先端２２ｓと同位置に存するように（即ち、毛髪化粧料が櫛歯２２の根元から先端まで存するように）、毛髪化粧料の充填量を調整した。その状態下に櫛部２３を、セミロングより長い頭髪を有するマネキンヘッドの該頭髪の根元に押し当て、更に毛先方向へ移動させて、毛髪の根元から毛先まで毛髪化粧料１を束状に５条、等間隔で塗布した。以上の点以外は実施例１〜５と同様にして頭髪の部分塗布を行い、実施例１〜５と同様の評価を行った。その結果を以下の表１０に示す。
【０１０７】
【表２】
2015071033.tif 000004
【０１０８】
【表３】
2015071033.tif 000005
【０１０９】
【表４】
2015071033.tif 000006
【０１１０】
【表５】
2015071033.tif 000007
【０１１１】
【表６】
2015071033.tif 000008
【０１１２】
【表７】
2015071033.tif 000009
【０１１３】
【表８】
2015071033.tif 000010
【０１１４】
【表９】
2015071033.tif 000011
【０１１５】
【表１０】
2015071033.tif 000012
【０１１６】
表１０に示した結果から明らかなとおり、各実施例は各比較例に比して、頭皮への毛髪化粧料の付着が少ない。このことから、略円環状に配置された複数の櫛歯及び該櫛歯を固定する櫛歯台を備えた塗布部を有する、毛髪化粧料塗布具を用いて毛髪化粧料を塗布する場合において、その複数の櫛歯で包囲された部分（櫛部内側）に毛髪化粧料を供給する際には、各比較例のように、櫛歯の根元から先端まで毛髪化粧料を充填せずに、各実施例のように、毛髪化粧料の上面位置が櫛歯の先端から所定距離離れた下方位置に存するようにし、該櫛部内側の櫛歯先端側に毛髪化粧料が充填されていない空間部を形成しておくことが、頭皮への毛髪化粧料の付着を抑制する点で有効であることが判る。そして、この各実施例の塗布方法は、毛髪化粧料１〜５のすべてに対して有効である。
【０１１７】
〔参考例１〕
実施例１において、櫛歯２２の本数を１６本とし、櫛歯２２の高さを１８ｍｍとした。それ以外は実施例１と同様にして毛髪化粧品を得た。得られた毛髪化粧品の塗布部に、実施例１で用いた毛髪化粧料を充填した。毛髪化粧料は、櫛歯２２の先端から１ｍｍ下方の位置まで充填した。充填は、染毛の施術経験の豊富な５人のパネラーに行わせた。そして、毛髪化粧料を所定の位置まで充填するときの充填量のコントロールのしやすさを、これらのパネラーに評価させた。評価は、直接判定法の非制限的選択回答方式で行った。具体的には、長さ６ｃｍの直線を水平に引き、直線の左端を「非常にコントロールし難い」、右端を「非常にコントロールしやすい」と定義して、パネラーが受けた印象を、直線上の位置で表現させた。そして、直線の左端からパネラーが示した位置までの長さを測定し、その長さを評点とした。そして、５人のパネラーの評点の合計を算出した。評点が高いほど、充填量がコントロールしやすいことを意味する。
次に、前記の５人のパネラーに、毛髪化粧料をウイッグの毛に塗布させ、塗布時における頭皮への該毛髪化粧料の付着の有無を評価させた。即ち、毛髪化粧料を塗布部に充填した毛髪化粧品における該塗布部を、ウイッグの毛の根元に当接させ、その状態から塗布部を毛先に向かってコーミングするように移動させて、毛に毛髪化粧料を塗布した。塗布後、ウイッグの頭皮部分を目視観察し、頭皮部分に毛髪化粧料が付着しているか否かを判定した。
以上の結果を以下の表１１に示す。
【０１１８】
〔実施例６〕
実施例１において、櫛歯２２の本数を１６本とし、櫛歯２２の高さを１８ｍｍとした。また、各櫛歯２２の先端から１ｍｍ下方の位置に、水平方向に延びる線からなる指標を設けた。それ以外は実施例１と同様にして毛髪化粧品を得た。得られた毛髪化粧品の塗布部に、実施例１で用いた毛髪化粧料を充填した。毛髪化粧料は、指標の位置まで、即ち櫛歯の先端から１ｍｍ下方の位置まで充填した。このときの充填量のコントロールのしやすさを、参考例１と同様に評価した。次いで、毛髪化粧料の塗布時における頭皮への該毛髪化粧料の付着の有無を、参考例１と同様に評価した。その結果を表１１に示す。
【０１１９】
〔実施例７〕
実施例１において、櫛歯として、高さ１８ｍｍの第１櫛歯２２１を８本、高さ１７ｍｍの第２櫛歯２２２を８本用いた。これらを交互に規則的に配置して図８に示す塗布部を得た。それ以外は実施例１と同様にして毛髪化粧品を得た。得られた毛髪化粧品の塗布部に、実施例１で用いた毛髪化粧料を充填した。毛髪化粧料は、第２櫛歯２２２の先端の位置まで、即ち第１櫛歯２２１の先端から１ｍｍ下方の位置まで充填した。このときの充填量のコントロールのしやすさを、参考例１と同様に評価した。次いで、毛髪化粧料の塗布時における頭皮への該毛髪化粧料の付着の有無を、参考例１と同様に評価した。その結果を表１１に示す。
【０１２０】
〔参考例２〕
実施例１において、櫛歯２２の本数を１６本とし、櫛歯２２の高さを１８ｍｍとした。それ以外は実施例１と同様にして毛髪化粧品を得た。得られた毛髪化粧品の塗布部に、実施例１で用いた毛髪化粧料を充填した。毛髪化粧料は、櫛歯２２の先端から５ｍｍ下方の位置まで充填した。このときの充填量のコントロールのしやすさを、参考例１と同様に評価した。次いで、毛髪化粧料の塗布時における頭皮への該毛髪化粧料の付着の有無を、参考例１と同様に評価した。その結果を表１１に示す。
【０１２１】
〔実施例８〕
実施例１において、櫛歯２２の本数を１６本とし、櫛歯２２の高さを１８ｍｍとした。また、各櫛歯２２の先端から５ｍｍ下方の位置に、水平方向に延びる線からなる指標を設けた。それ以外は実施例１と同様にして毛髪化粧品を得た。得られた毛髪化粧品の塗布部に、実施例１で用いた毛髪化粧料を充填した。毛髪化粧料は、指標の位置まで、即ち櫛歯２２の先端から５ｍｍ下方の位置まで充填した。このときの充填量のコントロールのしやすさを、参考例１と同様に評価した。次いで、毛髪化粧料の塗布時における頭皮への該毛髪化粧料の付着の有無を、参考例１と同様に評価した。その結果を表１１に示す。
【０１２２】
〔実施例９〕
実施例１において、櫛歯として、高さ１８ｍｍの第１櫛歯２２１を８本、高さ１３ｍｍの第２櫛歯２２２を８本用いた。これらを交互に規則的に配置して図８に示す塗布部を得た。それ以外は実施例１と同様にして毛髪化粧品を得た。得られた毛髪化粧品の塗布部に、実施例１で用いた毛髪化粧料を充填した。毛髪化粧料は、第２櫛歯２２２の先端の位置まで、即ち第１櫛歯２２１の先端から５ｍｍ下方の位置まで充填した。このときの充填量のコントロールのしやすさを、参考例１と同様に評価した。次いで、毛髪化粧料の塗布時における頭皮への該毛髪化粧料の付着の有無を、参考例１と同様に評価した。その結果を表１１に示す。
【０１２３】
〔比較例６〕
実施例１において、櫛歯２２の本数を１６本とし、櫛歯２２の高さを１８ｍｍとした。それ以外は実施例１と同様にして毛髪化粧品を得た。得られた毛髪化粧品の塗布部に、実施例１で用いた毛髪化粧料を充填した。毛髪化粧料は、櫛歯２２の先端まで充填した。このときの充填量のコントロールのしやすさを、参考例１と同様に評価した。次いで、毛髪化粧料の塗布時における頭皮への該毛髪化粧料の付着の有無を、参考例１と同様に評価した。その結果を表１１に示す。
【０１２４】
〔参考例３〕
実施例１において、櫛歯２２の本数を１６本とし、櫛歯２２の高さを１２ｍｍとした。それ以外は実施例１と同様にして毛髪化粧品を得た。得られた毛髪化粧品の塗布部に、実施例１で用いた毛髪化粧料を充填した。毛髪化粧料は、櫛歯２２の先端から１ｍｍ下方の位置まで充填した。このときの充填量のコントロールのしやすさを、参考例１と同様に評価した。次いで、毛髪化粧料の塗布時における頭皮への該毛髪化粧料の付着の有無を、参考例１と同様に評価した。その結果を表１２に示す。
【０１２５】
〔実施例１０〕
実施例１において、櫛歯２２の本数を１６本とし、櫛歯２２の高さを１２ｍｍとした。また、各櫛歯２２の先端から１ｍｍ下方の位置に、水平方向に延びる線からなる指標を設けた。それ以外は実施例１と同様にして毛髪化粧品を得た。得られた毛髪化粧品の塗布部に、実施例１で用いた毛髪化粧料を充填した。毛髪化粧料は、指標の位置まで、即ち櫛歯２２の先端から１ｍｍ下方の位置まで充填した。このときの充填量のコントロールのしやすさを、参考例１と同様に評価した。次いで、毛髪化粧料の塗布時における頭皮への該毛髪化粧料の付着の有無を、参考例１と同様に評価した。その結果を表１２に示す。
【０１２６】
〔実施例１１〕
実施例１において、櫛歯として、高さ１２ｍｍの第１櫛歯２２１を８本、高さ１１ｍｍの第２櫛歯２２２を８本用いた。これらを交互に規則的に配置して図８に示す塗布部を得た。それ以外は実施例１と同様にして毛髪化粧品を得た。得られた毛髪化粧品の塗布部に、実施例１で用いた毛髪化粧料を充填した。毛髪化粧料は、第２櫛歯２２２の先端の位置まで、即ち第１櫛歯２２１の先端から１ｍｍ下方の位置まで充填した。このときの充填量のコントロールのしやすさを、参考例１と同様に評価した。次いで、毛髪化粧料の塗布時における頭皮への該毛髪化粧料の付着の有無を、参考例１と同様に評価した。その結果を表１２に示す。
【０１２７】
〔参考例４〕
実施例１において、櫛歯２２の本数を１６本とし、櫛歯２２の高さを１２ｍｍとした。それ以外は実施例１と同様にして毛髪化粧品を得た。得られた毛髪化粧品の塗布部に、実施例１で用いた毛髪化粧料を充填した。毛髪化粧料は、櫛歯２２の先端から５ｍｍ下方の位置まで充填した。このときの充填量のコントロールのしやすさを、参考例１と同様に評価した。次いで、毛髪化粧料の塗布時における頭皮への該毛髪化粧料の付着の有無を、参考例１と同様に評価した。その結果を表１２に示す。
【０１２８】
〔実施例１２〕
実施例１において、櫛歯２２の本数を１６本とし、櫛歯２２の高さを１２ｍｍとした。また、各櫛歯２２の先端から５ｍｍ下方の位置に、水平方向に延びる線からなる指標を設けた。それ以外は実施例１と同様にして毛髪化粧品を得た。得られた毛髪化粧品の塗布部に、実施例１で用いた毛髪化粧料を充填した。毛髪化粧料は、指標の位置まで、即ち櫛歯２２の先端から５ｍｍ下方の位置まで充填した。このときの充填量のコントロールのしやすさを、参考例１と同様に評価した。次いで、毛髪化粧料の塗布時における頭皮への該毛髪化粧料の付着の有無を、参考例１と同様に評価した。その結果を表１２に示す。
【０１２９】
〔実施例１３〕
実施例１において、櫛歯として、高さ１２ｍｍの第１櫛歯２２１を８本、高さ７ｍｍの第２櫛歯２２２を８本用いた。これらを交互に規則的に配置して図８に示す塗布部を得た。それ以外は実施例１と同様にして毛髪化粧品を得た。得られた毛髪化粧品の塗布部に、実施例１で用いた毛髪化粧料を充填した。毛髪化粧料は、第２櫛歯２２２の先端の位置まで、即ち第１櫛歯２２１の先端から５ｍｍ下方の位置まで充填した。このときの充填量のコントロールのしやすさを、参考例１と同様に評価した。次いで、毛髪化粧料の塗布時における頭皮への該毛髪化粧料の付着の有無を、参考例１と同様に評価した。その結果を表１２に示す。
【０１３０】
〔比較例７〕
実施例１において、櫛歯２２の本数を１６本とし、櫛歯２２の高さを１２ｍｍとした。それ以外は実施例１と同様にして毛髪化粧品を得た。得られた毛髪化粧品の塗布部に、実施例１で用いた毛髪化粧料を充填した。毛髪化粧料は、櫛歯２２の先端まで充填した。このときの充填量のコントロールのしやすさを、参考例１と同様に評価した。次いで、毛髪化粧料の塗布時における頭皮への該毛髪化粧料の付着の有無を、参考例１と同様に評価した。その結果を表１２に示す。
【０１３１】
【表１１】
2015071033.tif 000013
【０１３２】
【表１２】
2015071033.tif 000014
【０１３３】
表１１及び表１２に示す結果から明らかなとおり、各実施例では毛髪化粧料の充填をコントロールしやすく、かつ頭皮への毛髪化粧料の付着が防止されることが判る。これに対して各比較例では、毛髪化粧料の充填はコントロールしやすいが、その反面、頭皮に毛髪化粧料が付着しやすいことが判る。
【符号の説明】
【０１３４】
１，１Ａ  毛髪化粧料塗布具
２  塗布部
２１  剤吐出口
２２  櫛歯
２２ｍ，２２ｎ  印
３  毛髪化粧料
４  容器部
４１  容器本体
４５  接続キャップ
５ 延長部
５１  液流出路
Ｓ  段差
【図１】
2015071033.tif 000015
【図２】
2015071033.tif 000016
【図３】
2015071033.tif 000017
【図４】
2015071033.tif 000018
【図５】
2015071033.tif 000019
【図６】
2015071033.tif 000020
【図７】
2015071033.tif 000021
【図８】
2015071033.tif 000022
【図９】
2015071033.tif 000023
【図１０】
2015071033.tif 000024
【図１１】
2015071033.tif 000025
【図１２】
2015071033.tif 000026
【図１３】
2015071033.tif 000027
【図１４】
2015071033.tif 000028
【図１５】
2015071033.tif 000029